(57)【要約】【課題】投影画像の非表示領域において白浮き現象が生じることを防止し、観察者に与える映像効果を向上させるとともに、光源から出射した光を有効に投影画像に利用することで投影画像を明るく表示すること。【解決手段】入射面４０ａから入射する光を内部で複数回反射させることによって出射面４０ｂから均一な照度分布の光を出射する導光部材４０が、ランプ光源１０と反射型表示素子８０との間の光路中に介挿される。この導光部材４０の出射面４０ｂの形状は、反射型表示素子８０の画像表示領域と非相似形に形成され、また反射型表示素子８０の画像表示領域における光の照射領域が、画像表示領域よりも小さくなるように構成される。【選択図】        図１
2004286785.tif 000002
【特許請求の範囲】
【請求項１】
ランプ光源から照射される光が、所定の光路を辿って反射型表示素子の画像表示領域に導かれ、前記反射型表示素子の前記画像表示領域において投影画像を形成する光成分が反射され、当該反射光成分が所定のスクリーン上に投影されるように構成される光学系であって、
入射面から入射する光を内部で複数回反射させることによって出射面から均一な照度分布の光を出射する導光部材が、前記ランプ光源と前記反射型表示素子との間の光路中に介挿されるとともに、前記導光部材の前記出射面が、前記反射型表示素子の前記画像表示領域と非相似形に形成され、前記画像表示領域における光の照射領域が、前記画像表示領域よりも小さくなるように構成される光学系。
【請求項２】
請求項１に記載の光学系において、
前記導光部材は、中空内壁面側に反射面が形成された角筒状部材によって構成され、
前記反射面よりも外側を通過する光を遮光する遮光手段をさらに備えることを特徴とする光学系。
【請求項３】
請求項２に記載の光学系において、
前記遮光手段は、前記導光部材と別個に設けられる遮光板であることを特徴とする光学系。
【請求項４】
請求項２に記載の光学系において、
前記遮光手段は、前記角筒状部材の端面に設けられることを特徴とする光学系。
【請求項５】
請求項１乃至４のいずれかに記載の光学系を備えて構成される投射型画像表示装置。
【発明の詳細な説明】
【０００１】
【発明の属する技術分野】
本発明は、ランプ光源から照射される光が、所定の光路を辿って反射型表示素子の画像表示領域に導かれ、その画像表示領域において投影画像を形成する光成分が反射され、当該反射光成分が所定のスクリーン上に投影されるように構成される、光学系及び投射型画像表示装置に関する。
【０００２】
【従来の技術】
従来、ランプ光源から照射される光が、所定の光路を辿って反射型表示素子の画像表示領域に導かれ、その画像表示領域において投影画像を形成する光成分が反射され、さらに当該反射光成分が所定のスクリーン上に投影されるように構成される投射型画像表示装置が知られている（例えば、特許文献１，２）。
【０００３】
この種の装置では、光源から出射された光はロットレンズ等で照度分布がほぼ均一な光に変換された後、この光が反射型表示素子に導かれ、そして反射型表示素子の画像表示領域で反射した、画像を形成する光がスクリーンに投影されるようになっている。
【０００４】
【特許文献１】
特開２０００−９８２７２号公報
【特許文献２】
特開２００１−１８３６０３号公報
【０００５】
【発明が解決しようとする課題】
上記のような投射型画像表示装置では、一般に、ロットレンズ等の照度分布をほぼ均一な状態に変換する光学部材の光出射面が反射型表示素子の画像表示領域と共役関係にあるため、上記光学部材の光出射面と、反射型表示素子の画像表示領域とはほぼ相似形に形成される。
【０００６】
また、反射型表示素子で反射された画像は拡大又は縮小されてスクリーン上に投影されるため、反射型表示素子の画像表示領域と、スクリーン上の投影画像とは相似形となっている。
【０００７】
そのため、例えばアスペクト比が４：３の画像を投影する場合、上記光学部材の出射面、反射型表示素子の画像表示領域及びスクリーンサイズが全てアスペクト比４：３となるように構築されることになる。
【０００８】
そのような装置で、アスペクト比が１６：９の画像を投影する場合、上記光学部材は反射型表示素子に対して画像表示領域の全域に照射される光を透過するのに対し、反射型表示素子はその画像表示領域の中央部分だけで画像形成を行い、その他の部分は入射する光をスクリーン方向に反射させない状態に制御される。
【０００９】
ところが、この場合、画像表示領域の中央部分以外の部分でも、一部の光が反射し、その反射光がスクリーンに投影される。そのため、スクリーン上の投影画像領域の上下の領域は、本来表示が不要な領域であり、黒く表示されるべきであるにもかかわらず、その一部若しくは全体が明るく表示されて白浮きしてしまうという問題があった。また、このような白浮きする領域は、投影画像の近傍に生ずるため、特にビデオプロジェクタとして使用する場合であって、映像の臨場感を向上させる目的で、部屋の照明を暗くした状態で映像を観賞する場合は、観賞の妨げになり、臨場感も損なわれるという問題があった。また、プレゼンテーション等に用いられるデータプロジェクタとして使用する場合においても、投影される画像に集中することができず、プレゼンテーションの効果が低くなるという問題があった。
【００１０】
さらに、上記光学部材の光出射面から出射する光は、反射型表示素子における画像表示領域の全域に照射されており、画像表示領域の中央部分以外に入射する光の有効利用ができていない。そのため、スクリーンに投影される画像が暗くなってしまうという問題がある。
【００１１】
よって、これらの要因により、従来の投射型画像表示装置では、アスペクト比１６：９の画像を良好な状態で表示することができなかった。
【００１２】
そこで本発明は、上記のような問題点を解消するためになされたもので、投影画像の非表示領域において白浮き現象が生じることを防止し、観察者に与える映像効果を向上させるとともに、光源から出射した光を有効に投影画像に利用することで投影画像を明るく表示することを可能にする光学系、及びその光学系を備えた投射型画像表示装置を提供することを目的とする。
【００１３】
【課題を解決するための手段】
上記目的を達成するため、本発明にかかる光学系は、ランプ光源から照射される光が、所定の光路を辿って反射型表示素子の画像表示領域に導かれ、前記反射型表示素子の前記画像表示領域において投影画像を形成する光成分が反射され、当該反射光成分が所定のスクリーン上に投影されるように構成される光学系であって、入射面から入射する光を内部で複数回反射させることによって出射面から均一な照度分布の光を出射する導光部材が、前記ランプ光源と前記反射型表示素子との間の光路中に介挿されるとともに、前記導光部材の前記出射面が、前記反射型表示素子の前記画像表示領域と非相似形に形成され、前記画像表示領域における光の照射領域が、前記画像表示領域よりも小さくなるように構成される。
【００１４】
また、本発明にかかる投射型画像表示装置は、上記のような光学系を備えて構成される。
【００１５】
【発明の実施の形態】
以下、本発明の実施の形態について図面を参照しつつ詳細に説明する。
【００１６】
実施の形態１．
図１は本実施形態にかかる投射型画像表示装置１００の構成であって、特にその要部となる光学系１の構成を示す図である。この光学系１は、ランプ光源１０から出射する光が、ランプリフレクター２０、カラーホイール３０、導光部材４０、リレーレンズ５０、反射ミラー６０、凹面ミラー７０、反射型表示素子８０、及び、投射レンズ９０を経由する光路を辿ってスクリーン９１に投影されるように構成される。
【００１７】
ランプ光源１０は放電を利用した高圧水銀ランプやハロゲンランプ等によって構成される光源であり、ランプ光源１０から出射される光はランプ光源１０の周囲に配置されたランプリフレクター２０によって反射される。ランプリフレクター２０はランプ光源１０に対向する面が回転楕円面形状として形成され、その表面が鏡面加工されている。ランプ光源１０はその回転楕円面の一方の焦点に配置され、ランプ光源１０から出射する光はランプリフレクター２０の内面で反射して他方の焦点に向かって集光される。
【００１８】
その他方側の焦点には、導光部材４０の入射面４０ａが配置される。導光部材４０は、入射面４０ａから入射する光を内部で複数回反射させることによって出射面４０ｂから均一な照度分布の光を出射するように構成される。
【００１９】
図２は導光部材４０の一例を示す図である。本実施形態において導光部材４０は、一面側が鏡面加工された平板状の、複数のガラス材４１によって構成され、各ガラス材４１の鏡面側が中空空間に面するように組み合わされて、全体として四角筒形状をなすように形成される。このような導光部材は、一般にライトパイプと呼ばれる。
【００２０】
図３は、導光部材４０の内部における光線を概念的に示す図である。上記のように構成される導光部材４０は、図３に示すように、入射面４０ａから内側中空空間に光を入射させることにより、その光を内面側で複数回反射させることができ、それによって出射面４０ｂから出射する光の照度分布を光束断面において均一な状態に変換する作用を示す。そして入射面４０ａがランプリフレクター２０の焦点に配置されるとともに、入射面４０ａにおける開口中心が集光される光の光軸中心にほぼ一致するように配置されることで、ランプ光源１０から出射される光を効率的に取り込み、その光を後段の光学系に伝達することができるようになっている。
【００２１】
また、ランプリフレクター２０と導光部材４０との間には、カラーホイール３０が配置される。カラーホイール３０は透過する光の色を時分割で変化させる機能を有する。図４は、カラーホイール３０をランプ光源１０側からみた図である。図４に示すように、カラーホイール３０は、円盤状の回転部が例えば三分割され、それぞれに赤（Ｒ）、緑（Ｇ）及び青（Ｂ）のカラーフィルタ３１，３２，３３が配置された構造を有し、各カラーフィルタ３１〜３３の中心位置に設けられたモータ３４が一定の回転方向に等速度で回転することにより、カラーフィルタ３１〜３３もそれに伴って回転するように構成される。
【００２２】
このようなカラーホイール３０はランプリフレクター２０と導光部材４０との間の光路中に介挿されるとともに、ランプリフレクター２０によって集光される光が常に一定の透過位置３５を透過するように配置される。そのため、モータ３４が回転することにより、光の透過位置３５は各カラーフィルタ３１〜３３を順次通過することとなって、カラーホイール３０に軌跡３６を描く。このような作用により、カラーホイール３０から後段の光学系には、ＲＧＢの光が一定時間ごとに順次に切り替わりつつ伝搬される。
【００２３】
一方、導光部材４０を出射して照度分布が均一になった光は、リレーレンズ５０を透過した後、平面状の反射ミラー６０で折り返され、凹面ミラー７０に入射する。凹面ミラー７０は反射機能と集光機能とを兼ね備え、反射ミラー６０によって折り返されて入射する光束全体を集光するように反射して、その光を反射型表示素子８０に導くように構成される。
【００２４】
反射型表示素子８０は、投射型画像表示装置１００に入力される画像信号に基づいて入射する光を変調したり、又はスイッチングを行うことによって、投影すべき画像成分を形成する光像を作り出すものである。このような反射型表示素子８０としては、例えば、反射型液晶パネル、光を反射させる方向を選択的にスイッチングすることのできるマイクロミラーが二次元配列された素子、及び、多数の反射ミラーの高さを変化させてミラー間の干渉を発生させ、それによって光の反射する方向を制御する素子などが挙げられる。
【００２５】
図５は反射型表示素子８０を正面（すなわち画像表示面）側からみた図である。図５に示すように反射型表示素子８０の画像表示面には、凹面ミラー７０からの光を反射して投影すべき画像成分を形成する光像を反射するための画像表示領域８１が設けられている。画像表示領域８１には、上述した液晶パネルやマイクロミラー等が配置され、入力する画像信号に応じた画像形成が行われるように構成される。
【００２６】
なお、反射型表示素子８０としては、例えば、従来からの既存のものを用いることができ、画像表示領域８１のアスペクト比は例えば４：３として形成される。
【００２７】
そして画像表示領域８１において反射された光は、投射レンズ９０を介してスクリーン９１に投影される。
【００２８】
カラーホイール３０の作用によって、反射型表示素子８０の画像表示領域８１には、ＲＧＢの各光が時分割されて順次に入射するが、カラーホイール３０を透過する色成分に同期して、反射型表示素子８０にはその色に対応する画像信号が入力されるようになっている。このような動作を行うことにより、スクリーン９１にはＲＧＢ各色の画像が順次に投影されることとなり、色の切替周期を十分に速くすることにより、これら各色の画像が合成された状態で視認され、全体としてフルカラーの映像が知覚されることになる。
【００２９】
そして本実施形態では、上記のように構成された光学系１において、導光部材４０の出射面４０ｂの形状（より厳密には、出射面４０ｂにおける開口形状）が投影すべき画像のアスペクト比に適合するように形成される。例えば、アスペクト比１６：９の画像を投影するように構成する場合、導光部材４０における出射面４０ｂの形状もそのアスペクト比（横対縦の寸法比）が１６：９となるように形成される。したがって、出射面４０ｂの形状は、反射型表示素子８０の画像表示領域８１と非相似形になるように形成される。
【００３０】
そして導光部材４０と反射型表示素子８０との間の光学素子（リレーレンズ５０、反射ミラー６０及び凹面ミラー７０）によって、導光部材４０から出射する光が、反射型表示素子８０における画像表示領域８１内の一部の領域であって、画像表示領域８１よりも小さな領域に照射されるように構成される。
【００３１】
図６は反射型表示素子８０における画像表示領域８１への光の照射状態を示す図である。図６における破線領域４０ｃは、導光部材４０の出射面４０ｂが導光部材４０と反射型表示素子８０との間の光学素子によって画像表示領域８１に投影される範囲を示すものである。したがって、図６に示されるように、導光部材４０の出射面４０ｂから出射する光は、上記光学素子によって画像表示領域８１のほぼ中央の領域８２のみに集光されて照射される。この領域８２は導光部材４０の出射面４０ｂの形状とほぼ相似形である。そのため、画像表示領域８１における他の領域（図６において斜線が施された領域）８３には光が照射されないようになっている。
【００３２】
そして反射型表示素子８０は、光照射領域となる上記中央領域８２のみにおいて画像信号に基づく画像形成を行い、非照射領域である他の領域８３では画像形成を行わないように構成される。例えば、画像表示領域８１がアスペクト比４：３で形成されていても、その中央領域８２のみを利用してアスペクト比１６：９の画像が形成される。そして導光部材４０を通過した光の全成分が投影画像を形成するための光として有効に活用されることになる。そして従来よりも明るい画像が、スクリーン９１に投影される。
【００３３】
図７は、導光部材４０、反射型表示素子８０及びスクリーン９１における光の伝搬形態を簡易的に示す模式図である。図７に示すように、上述した光学系１によると、投影画像の形状に適合するように形成された、導光部材４０の出射面４０ｂから出射する光は、反射型表示素子８０における画像表示領域８１の一部の領域（中央領域）のみに照射される。そして、その光照射領域において投影画像を形成する光が生成され、スクリーン９１に投影されることになる。
【００３４】
よって、反射型表示素子８０における画像形成領域のみに光が照射されることとなり、それ以外の領域（図６の領域８３）には光は照射されない。そのため、非照射領域において不必要な反射現象が生じることはなく、また、そのような反射光がスクリーン９１上の画像投影領域に隣接する部分に投影される可能性もない。その結果、スクリーン９１上の投影画像の非表示領域において白浮き現象が生じることはなく、観察者に与える映像効果を向上させることができる。
【００３５】
以上のように、本実施形態における光学系１は、導光部材４０の出射面４０ｂが、スクリーン９１への投影画像に適合した形状であって、反射型表示素子８０の画像表示領域８１と非相似の形状に形成されるとともに、導光部材４０を介して反射型表示素子８０に照射される光の照射範囲が、反射型表示素子８０における画像表示領域８１よりも小さくなるように構成される。したがって、導光部材４０から出射される光の全てを投影画像の形成に寄与させることができ、従来よりも明るい画像の投影が可能になる。また、スクリーン９１上の投影画像の非表示領域において白浮き現象が生じることはなく、観察者に与える映像効果を向上させることができる。特に、上記構成をビデオプロジェクタに適用した場合であって、映像の臨場感を向上させる目的で、部屋の照明を暗くした状態で映像を観賞する場合にも、映像による臨場感が損なわれず、高品質な画像投影が可能になる。また、上記構成をデータプロジェクタに適用する場合においても、投影画像を集中して観察することがすることができる状況になるため、より効果的なプレゼンテーションを行うこと等が可能になる。
【００３６】
よって、反射型表示素子８０として例えばアスペクト比４：３の既存のものを用いたとしても、スクリーン９１に対してアスペクト比１６：９の良好な画像を投影することが可能になる。
【００３７】
また、上記のような光学系１を用いて投射型画像表示装置１００を構成することにより、投射型画像表示装置１００としても上記と同様の効果を得ることができる。
【００３８】
なお、本実施形態において導光部材４０は、上述した角筒状のライトパイプに限定されるものではなく、従来から用いられているロットレンズのようなものであっても構わない。
【００３９】
実施の形態２．
本実施形態では、導光部材４０として図２に示したようなものが用いられる場合のさらなる改良について説明する。より具体的には、上記実施の形態１にて説明した、いわゆるライトパイプと呼ばれる構造の導光部材４０において導光用中空空間に面して形成された鏡面よりも外側を通過する光を遮断するように構成される例について説明する。なお、本実施形態においても、投射型画像表示装置１００及びその光学系１の全体的構成については上述したものと同様であり、ここではそれらについての詳細な説明を省略する。
【００４０】
図８は、本実施形態において、ランプ光源１０と反射型表示素子８０との間の光路中に介挿される、導光部材４０及び遮光部材４５を示す図である。図８における導光部材４０は、実施の形態１において説明した導光部材と同様のものであり、複数のガラス材４１によって導光用の中空空間が形成されたライトパイプとして機能する。
【００４１】
ランプ光源１０及びランプリフレクター２０の作用によって、導光部材４０に導かれる光のうち、その大部分の光８ａはランプリフレクター２０の焦点に集光され、入射面４０ａの開口部から内部中空空間に導かれる。この光８ａは、導光部材４０の内側中空空間で複数回の反射を繰り返すことにより、照度分布がほぼ均一化され、出射面４０ｂの開口部から出射される。
【００４２】
ところが、ランプ光源１０及びランプリフレクター２０から導光部材４０に導かれる光のうちには、図８に示される光８ｂ，８ｃのように、入射面４０ａの開口部から中空空間内に入射しないものも含まれる。例えば、光８ｂは、導光部材４０を構成するガラス材４１の端面からガラス材４１の内部に入射し、ガラス材４１の内部で複数回の反射を繰り返した後、出射側の端面から出射して後段の光学系に伝搬される。また、光８ｃはガラス材４１にも入射せず、導光部材４０の外側を伝搬して後段の光学系に導かれる。このような光８ｂ，８ｃは、導光部材４０によって均一化された光ではなく、また、その光路も光学設計上予期しない光路を辿ることから、投影画像の形成には不必要な光となる。
【００４３】
そこで本実施形態では、図８に示すように導光部材４０から出射する光の光路中に遮光部材４５が配置される。遮光部材４５は、出射面４０ｂの開口から出射する光８ａを透過させ、上記の不要光８ｂ，８ｃを遮光するための部材である。遮光部材４５としては、例えば中央に出射面４０ｂの開口とほぼ同形状の開口が形成された遮光板が用いられる。また遮光板の外形は、不要光８ｃを遮光するために、導光部材４０の断面外形よりも大きくなるように形成される。そして開口中心が光軸とほぼ一致するように配置されることにより、導光部材４０の中空空間に面する反射面よりも外側を通過する不要光８ｂ，８ｃの双方を良好に遮光し、後段の光学系にこれら不要光８ｂ，８ｃが導かれることを防止することができる。
【００４４】
なお、図８では、遮光部材４５が導光部材４０の出射側に配置される場合を例示したが、入射側に配置されてもよい。また、入射側と出射側との双方に配置してもよい。
【００４５】
以上のように、本実施形態では、導光部材４０の中空空間に面する反射面よりも外側を通過する不要光８ｂ，８ｃを遮光部材４５によって遮光することができるので、不要光８ｂ，８ｃが反射型表示素子８０に到達することを防止することができる。そのため、不要光８ｂ，８ｃが反射型表示素子８０によって反射し、スクリーン９１に投影されて照度ムラや白浮き現象が生じることを防止することができる。すなわち、本実施形態の構成によると、不要光８ｂ，８ｃによって生ずる白浮き現象等をも防止することができるので、観察者に与える映像効果をさらに向上させることができる。
【００４６】
また、本実施形態では、遮光部材４５としての遮光板が、導光部材４０の入射側及び出射側の少なくとも一方側に、導光部材４０とは別個に設けられるので、遮光部材４５のみを調整することによって、不要光８ｂ，８ｃを良好に遮光することができる。すなわち、導光部材４０の配置は他の光学素子との関連で厳密に位置決めされるが、遮光部材４５が導光部材４０とは別個に設けられることにより、他の光学素子とは無関係に、不要光８ｂ，８ｃを良好に遮光するような状態に調整することができる。
【００４７】
実施の形態３．
本実施形態では、上記遮光部材のさらなる改良例について説明する。図９は、本実施形態において、ランプ光源１０と反射型表示素子８０との間の光路中に介挿される、導光部材４０及び遮光部材４６を示す図である。図９における導光部材４０もまた、実施の形態１において説明した導光部材と同様のものであり、複数のガラス材４１によって導光用の中空空間が形成されたライトパイプとして機能するものである。
【００４８】
本実施形態では、図９に示すように、導光部材４０の出射側であって、ガラス材４１の端面に遮光部材４６が設けられる。このような遮光部材４６は、例えば、ガラス材４１の端面に、遮光塗料を塗布したり、遮光テープを貼付ること等により、形成される。
【００４９】
このようにガラス材４１の端面に、遮光部材４６が設けられることにより、導光部材４０の中空空間に面する反射面よりも外側であって、ガラス材４１の内部を通過する不要光８ｂを良好に遮光し、後段の光学系にこれら不要光８ｂ，８ｃが導かれることを防止することができる。
【００５０】
ただし、この場合、不要光８ｃは後段の光学系に導かれる可能性があるので、不要光８ｃを遮光するための遮光部材をガラス材４１の端面に取り付けることがより好ましい。
【００５１】
なお、図９では、遮光部材４６が導光部材４０の出射側に設けられる場合を例示したが、入射側に設けられてもよい。また、入射側と出射側との双方に設けられてもよい。
【００５２】
以上のように、本実施形態では、導光部材４０の中空空間に面する反射面よりも外側を通過する不要光８ｂを、導光部材４０を構成する角筒状部材（すなわちガラス材４１）の端面に設けられた遮光部材４６によって遮光することができるので、不要光８ｂが反射型表示素子８０に到達することを防止することができる。そのため、不要光８ｂによって生ずる白浮き現象等をも防止することができるので、観察者に与える映像効果をさらに向上させることができる。
【００５３】
さらに、遮光部材４６がガラス材４１の端面に設けられており、遮光部材４６が設けられた導光部材４０を光路中に配置するだけで、不要光８ｂによる白浮き現象等を防止することができる。また、別部材として遮光部材を配置する場合に比べて、光学系１を小型化することができるとともに、コスト低減を図ることもできる。
【００５４】
変形例．
以上、本発明に関するいくつかの実施の形態を説明したが、本発明は上述したものに限定されるものではない。
【００５５】
例えば、上記においては、反射型表示素子８０の画像表示領域８１がアスペクト比４：３で形成され、導光部材４０の出射面４０ｂの形状がアスペクト比１６：９で形成される場合を例示したが、これらは単なる一例であって、本発明はこの内容に限定されるものではない。
【００５６】
【発明の効果】
以上説明したように、本発明にかかる光学系及び投射型画像表示装置は、導光部材の出射面が反射型表示素子の画像表示領域と非相似形に形成され、画像表示領域における光の照射領域が画像表示領域よりも小さくなるようにして構成されるため、投影画像の非表示領域において白浮き現象が生じることを良好に防止し、観察者に与える映像効果を向上させるとともに、光源から出射した光を有効に投影画像に利用することができ、投影画像を明るく表示することが可能になる。
【図面の簡単な説明】
【図１】投射型画像表示装置における光学系の構成を示す図である。
【図２】導光部材の一例を示す図である。
【図３】導光部材の内部における光線を概念的に示す図である。
【図４】カラーホイールをランプ光源側からみた図である。
【図５】反射型表示素子を画像表示面側からみた図である。
【図６】画像表示領域への光の照射状態を示す図である。
【図７】光の伝搬形態を簡易的に示す模式図である。
【図８】導光部材及び遮光部材の一構成例を示す図である。
【図９】導光部材及び遮光部材の他の構成例を示す図である。
【符号の説明】
１  光学系、１０  ランプ光源、４０  導光部材、４０ａ  入射面、４０ｂ  出射面、４１  ガラス材（角筒状部材）、４５，４６  遮光部材、５０  リレーレンズ、６０  反射ミラー、７０  凹面ミラー、８０  反射型表示素子、８１  画像表示領域、９０  投射レンズ、９１  スクリーン、１００  投射型画像表示装置。
【図１】
2004286785.tif 000003
【図２】
2004286785.tif 000004
【図３】
2004286785.tif 000005
【図４】
2004286785.tif 000006
【図５】
2004286785.tif 000007
【図６】
2004286785.tif 000008
【図７】
2004286785.tif 000009
【図８】
2004286785.tif 000010
【図９】
2004286785.tif 000011